(57)【要約】【課題】所望の配光特性を維持しつつ、発光素子に起因する色ムラを抑制できる光束制御部材を提供すること。【解決手段】光束制御部材は、入射面と、入射面で入射した光の一部を、発光素子の光軸と略垂直で互いに反対向きに反射させる２つの反射面と、２つの反射面を挟んで対向配置された２つの出射面とを有する。入射面は、凹部の内天面と、それを挟んで配置された２つの内側面とを有する。内天面には、発光素子の光軸に沿って見たときに、２つの出射面が対向する方向と略平行な稜線を有する複数の第１凸条が配置されており、かつ第１凸条の高さは、２つの出射面に近づくにつれて低くなる。【選択図】図６
2020061330.tif 000002
【特許請求の範囲】
【請求項１】
発光素子から出射された光の配光を制御するための光束制御部材であって、
裏側に配置された凹部の内面であって、発光素子から出射された光を入射する入射面と、
表側に配置され、前記入射面で入射した光の一部を、前記発光素子の光軸と略垂直であり、かつ互いに反対向きである２つの方向にそれぞれ反射させる２つの反射面と、
前記２つの反射面を挟んで互いに対向して配置され、前記２つの反射面で反射された光をそれぞれ外部に出射させる２つの出射面と、
を有し、
前記入射面は、前記凹部の内天面と、前記凹部の内天面を挟み、かつ前記２つの出射面が対向する方向に配置された２つの内側面とを有し、
前記内天面には、前記発光素子の光軸に沿って見たときに、前記２つの出射面が対向する方向と略平行な稜線を有する複数の第１凸条が配置されており、
前記第１凸条の稜線と垂直な断面における前記第１凸条の高さは、前記２つの出射面に近づくにつれて低くなる、
光束制御部材。
【請求項２】
発光素子から出射された光の配光を制御するための光束制御部材であって、
裏側に配置された凹部の内面であって、発光素子から出射された光を入射する入射面と、
表側に配置され、前記入射面で入射した光の一部を、前記発光素子の光軸と略垂直であり、かつ互いに反対向きである２つの方向にそれぞれ反射させる２つの反射面と、
前記２つの反射面を挟んで互いに対向して配置され、前記２つの反射面で反射された光をそれぞれ外部に出射させる２つの出射面と、
を有し、
前記２つの出射面のそれぞれには、前記２つの出射面が対向する方向に沿って見たときに、前記発光素子の光軸と略平行な稜線を有する複数の第２凸条が配置されており、
前記第２凸条の稜線と垂直な断面における前記第２凸条の高さは、裏側に近づくにつれて低くなる、
光束制御部材。
【請求項３】
前記２つの出射面のそれぞれには、前記２つの出射面が対向する方向に沿って見たときに、前記発光素子の光軸と略平行な稜線を有する複数の第２凸条が配置されており、
前記第２凸条の稜線と垂直な断面における前記第２凸条の高さは、裏側に近づくにつれて低くなる、
請求項１に記載の光束制御部材。
【請求項４】
前記２つの反射面のそれぞれの少なくとも一部には、前記発光素子の光軸に沿って見たときに、前記２つの出射面が対向する方向と略垂直な稜線を有する複数の第３凸条が配置されている、
請求項１〜３のいずれか一項に記載の光束制御部材。
【請求項５】
前記第１凸条の稜線方向において、前記第１凸条の稜線の傾きは一定である、
請求項１に記載の光束制御部材。
【請求項６】
前記第２凸条の稜線方向において、前記第２凸条の稜線の傾きは一定である、
請求項２に記載の光束制御部材。
【請求項７】
前記第１凸条の稜線に垂直な断面における、前記第１凸条の幅は、前記出射面に近づくにつれて小さくなる、
請求項１に記載の光束制御部材。
【請求項８】
前記第２凸条の稜線に垂直な断面における、前記第２凸条の幅は、裏側へ近づくにつれて小さくなる、
請求項２に記載の光束制御部材。
【請求項９】
発光素子と、
前記入射面が、前記発光素子と対向するように配置された、請求項１〜８のいずれか一項に記載の光束制御部材と、
を有する、発光装置。
【請求項１０】
前記入射面には、前記発光素子の発光中心から前記発光素子の光軸に対して少なくとも０°以上１０°以下の角度で出射された光が入射する、
請求項９に記載の発光装置。
【請求項１１】
複数の請求項９または１０に記載の発光装置と、
前記発光装置から出射された光を拡散させつつ透過させる光拡散板と、
を有する、照明装置。
【発明の詳細な説明】
【技術分野】
【０００１】
本発明は、光束制御部材、発光装置および照明装置に関する。
【背景技術】
【０００２】
照明装置や看板などの光源として、ＬＥＤなどの発光素子を有する発光装置が使用されている。中でも、特殊な形状を有するチャンネル文字型看板などの光源としては、発光素子から出射される光を、水平方向で互いに反対向きである２つの方向に反射させて、配光特性に異方性をもたせた（楕円配光を示す）発光装置が使用されている。
【０００３】
配光特性に異方性をもたせた発光装置として、例えば特許文献１には、図１に示されるように、発光素子１２と、発光素子１２から出射された光を上方へ反射させる反射カップ１４ａを有する基台（チップ搭載用リード）１４と、発光素子１２および反射カップ１４ａを封止する光束制御部材１３（特許文献１では透光性樹脂）とを有する発光装置が開示されている。光束制御部材１３は、発光素子１２から出射された光や反射カップ１４ａで反射された光を反射する２つの反射面１７と、反射面１７で反射された光を外部へ出射する２つの出射面１９（特許文献１では側面）とを有する。
【０００４】
このような発光装置では、発光素子１２の上面から出射された光は、光束制御部材１３の反射面１７に直接到達し、発光素子１２の側面から出射された光は、反射カップ１４ａで反射された後、光束制御部材１３の２つの反射面１７に到達する。そして、光束制御部材１３の２つの反射面１７に到達したこれらの光は、水平方向で互いに反対方向に進み、光束制御部材１３の２つの出射面１９から外部へ出射される。
【０００５】
このような発光装置に用いられる発光素子としては、ＬＥＤなどの発光素子が用いられる。安価で大量生産されているＬＥＤの多くは、例えば青色光を発する発光部と、その周囲を覆い、発光部から出射される青色光を白色光に変換する蛍光体とを有する発光素子（ＳＭＤタイプの発光素子）である。
【先行技術文献】
【特許文献】
【０００６】
【特許文献１】特開平９−１８０５８号公報
【発明の概要】
【発明が解決しようとする課題】
【０００７】
ＳＭＤタイプの発光素子では、発光素子の光軸に対して大きな角度で出射された青色光は、蛍光体内で長い光路を伝播して出射されるため、白色光に変換されやすい。一方で、発光素子の光軸に対して小さな角度で出射された青色光は、蛍光体内で短い光路を伝播して出射されるため、白色光に変換されにくく、青味がかった光として出射されやすい。このようなＳＭＤタイプの発光素子に限らず、出射方向によって色味の異なる光を発するような発光素子を、特許文献１に示されるような配光特性に異方性をもたせた発光装置に適用すると、発光素子の光軸に対して小さな角度で出射された光が到達する領域と、光軸に対して大きな角度で出射された光が到達する領域とで色ムラを生じやすいという問題があった。具体的には、発光素子の光軸に対して小さな角度で出射された光が、光拡散板の特定の領域に集中して到達しやすく、その領域の青色が強く出やすいという問題があった。
【０００８】
一方で、色ムラを抑制しようとすると、配光特性が損なわれる傾向もある。したがって、配光特性を損なわずに（配光特性を高度に維持しつつ）、色ムラを抑制できることが望まれている。
【０００９】
そこで、本発明の目的は、所望の配光特性を維持しつつ、発光素子に起因する色ムラを抑制できる光束制御部材を提供することである。また、本発明の別の目的は、この光束制御部材を有する発光装置および照明装置を提供することである。
【課題を解決するための手段】
【００１０】
本発明に係る光束制御部材は、発光素子から出射された光の配光を制御するための光束制御部材であって、裏側に配置された凹部の内面であって、発光素子から出射された光を入射する入射面と、表側に配置され、前記入射面で入射した光の一部を、前記発光素子の光軸と略垂直であり、かつ互いに反対向きである２つの方向にそれぞれ反射させる２つの反射面と、前記２つの反射面を挟んで互いに対向して配置され、前記２つの反射面で反射された光をそれぞれ外部に出射させる２つの出射面と、を有し、前記入射面は、前記凹部の内天面と、前記凹部の内天面を挟み、かつ前記２つの出射面が対向する方向に配置された２つの内側面とを有し、前記内天面には、前記発光素子の光軸に沿って見たときに、前記２つの出射面が対向する方向と略平行な稜線を有する複数の第１凸条が配置されており、前記第１凸条の稜線と垂直な断面における前記第１凸条の高さは、前記２つの出射面に近づくにつれて低くなる。
【００１１】
本発明に係る光束制御部材は、発光素子から出射された光の配光を制御するための光束制御部材であって、裏側に配置された凹部の内面であって、発光素子から出射された光を入射する入射面と、表側に配置され、前記入射面で入射した光の一部を、前記発光素子の光軸と略垂直であり、かつ互いに反対向きである２つの方向にそれぞれ反射させる２つの反射面と、前記２つの反射面を挟んで互いに対向して配置され、前記２つの反射面で反射された光をそれぞれ外部に出射させる２つの出射面と、を有し、前記２つの出射面のそれぞれには、前記２つの出射面が対向する方向に沿って見たときに、前記発光素子の光軸と略平行な稜線を有する複数の第２凸条が配置されており、前記第２凸条の稜線と垂直な断面における前記第２凸条の高さは、裏側に近づくにつれて低くなる。
【００１２】
本発明に係る発光装置は、発光素子と、前記入射面が、前記発光素子と対向するように配置された、本発明に係る光束制御部材とを有する。
【００１３】
本発明に係る照明装置は、複数の本発明に係る発光装置と、前記発光装置から出射された光を拡散させつつ透過させる光拡散板とを有する。
【発明の効果】
【００１４】
本発明によれば、所望の配光特性を維持しつつ、発光素子に起因する色ムラを抑制できる光束制御部材を提供することができる。
【図面の簡単な説明】
【００１５】
【図１】図１は、従来の発光装置の構成を示す図である。
【図２】図２Ａ、Ｂは、実施の形態１に係る照明装置の構成を示す図である。
【図３】図３は、光拡散板を外した状態の照明装置の平面図である。
【図４】図４Ａ〜Ｃは、図３に示される発光装置周辺の構成を示す図である。
【図５】図５Ａ〜Ｄは、実施の形態１に係る光束制御部材の構成を示す図である。
【図６】図６Ａは、図５Ｃの第１内天面のＡ−Ａ線断面図であり、図６Ｂは、図５Ｃの第１内天面のＢ−Ｂ線断面図である。
【図７】図７は、第１凸条の稜線に垂直な断面における、第１内天面の断面形状を示すグラフである。
【図８】図８Ａ〜Ｃは、第１凸条の稜線に垂直な断面における、第１内天面の断面形状の変形例を示す図である。
【図９】図９Ａ〜Ｆは、第１凸条の稜線に垂直な断面における、第１内天面の断面形状の変形例を示す図である。
【図１０】図１０Ａは、実施の形態１に係る光束制御部材を用いた照明装置の光拡散板上における照度分布の解析結果と、比較用の光束制御部材を用いた照明装置の光拡散板上における照度分布の解析結果とを示すグラフであり、図１０Ｂは、実施の形態１に係る光束制御部材を用いた照明装置の光拡散板上における色度Ｙ値の解析結果と、比較用の光束制御部材を用いた照明装置の光拡散板上における色度Ｙ値の解析結果を示すグラフである。
【図１１】図１１Ａ〜Ｄは、実施の形態２に係る光束制御部材の構成を示す図である。
【図１２】図１２Ａは、図１１Ｄの出射面のＡ−Ａ線断面図であり、図１２Ｂは、図１１Ｄの出射面のＢ−Ｂ線断面図である。
【図１３】図１３Ａ〜Ｃは、第２凸条の稜線に垂直な断面における、出射面の断面形状の変形例を示す図である。
【図１４】図１４Ａ〜Ｆは、第２凸条の稜線に垂直な断面における、出射面の断面形状の変形例を示す図である。
【図１５】図１５Ａは、実施の形態２に係る光束制御部材を用いた照明装置の光拡散板上における照度分布の解析結果と、比較用の光束制御部材を用いた照明装置の光拡散板上における照度分布の解析結果を示すグラフであり、図１５Ｂは、実施の形態２に係る光束制御部材を用いた照明装置の光拡散板上における色度Ｙ値の解析結果と、比較用の光束制御部材を用いた照明装置の光拡散板上における色度Ｙ値の解析結果とを示すグラフである。
【図１６】図１６Ａ〜Ｄは、実施の形態３に係る光束制御部材の構成を示す図である。
【図１７】図１７Ａは、図１６Ｃの第１内天面のＡ−Ａ線断面図であり、図１７Ｂは、図１６Ｃの第１内天面のＢ−Ｂ線断面図である。
【図１８】図１８Ａは、第３凸条の稜線に垂直な断面における、光束制御部材の反射面の断面形状を示すグラフであり、図１８Ｂは、第３凸条の稜線に垂直な断面において、第３凸条を有する光束制御部材の反射面の断面形状の設計値から、第３凸条を有しない光束制御部材の反射面の断面形状の設計値を差し引いた結果（Δｈ１）を示すグラフである。
【図１９】図１９Ａは、実施の形態３に係る光束制御部材を用いた照明装置の光拡散板上における照度分布の解析結果と、比較用の光束制御部材を用いた照明装置の光拡散板上における照度分布の解析結果とを示すグラフであり、図１９Ｂは、実施の形態３に係る光束制御部材を用いた照明装置の、光拡散板上における色度Ｙ値の解析結果と、比較用の光束制御部材を用いた照明装置の、光拡散板上における色度Ｙ値の解析結果とを示すグラフである。
【図２０】図２０は、変形例に係る照明装置の構成を示す部分拡大斜視図である。
【発明を実施するための形態】
【００１６】
以下、本発明の実施の形態について、図面を参照して詳細に説明する。
【００１７】
［実施の形態１］
（照明装置の構成）
図２ＡおよびＢ、ならびに図３は、実施の形態１に係る照明装置１００の構成を示す図である。図２Ａは、照明装置１００の平面図であり、図２Ｂは、正面図である。図３は、本実施の形態に係る照明装置１００において、光拡散板１５０を外した状態の平面図である。図４Ａ〜Ｃは、図３に示される発光装置１３０周辺の構成を示す図である。図４Ａは、図３に示される発光装置１３０周辺の斜視図であり、図４Ｂは、図４Ａの平面図であり、図４Ｃは、図４Ｂの４Ｃ−４Ｃ線の断面図である。同図に示される照明装置１００は、例えばチャンネル文字看板として用いられるものである。
【００１８】
図２Ａ、Ｂおよび図３に示されるように、照明装置１００は、筐体１１０、複数の基板１２０（不図示）、複数の発光装置１３０、ケーブル１４０および光拡散板１５０を有する。
【００１９】
筐体１１０は、その内部に複数の基板１２０および複数の発光装置１３０を収容するための、１つの面の少なくとも一部が開放された箱状体である。本実施の形態では、筐体１１０は、底板と、底板に対向する天板と、底板および天板を繋ぐ４つの側板とから構成されている。天板には、発光領域となる開口部が形成されている。この開口部は、光拡散板１５０により塞がれる。底板と天板とは平行に配置されている。底板の表面から光拡散板１５０までの高さ（空間厚さ）は、特に限定されないが、２０〜１００ｍｍ程度である。そして、筐体１１０は、例えば、ポリメタクリル酸メチル（ＰＭＭＡ）やポリカーボネート（ＰＣ）などの樹脂や、ステンレス鋼やアルミニウムなどの金属などから構成される。
【００２０】
筐体１００の平面視の形状は、任意の形状であってよい。本実施の形態では、チャンネル文字看板などに用いられることから、筐体１００の平面視の形状は、Ｓ字形状となっている。
【００２１】
複数の基板１２０は、複数の発光装置１３０を、筐体１１０の底板上に所定の間隔で配置するための平板である（図４Ｃ参照）。本実施の形態では、基板１２０は、筐体１１０の底板上に、後述するコーキング材１４１を介して配置されている（図４Ｃ参照）。基板１２０の配線は、ケーブル１４０によって電気的に接続されている。
【００２２】
複数の発光装置１３０は、筐体１１０の底板上に、複数の基板１２０を介してそれぞれ配置されている。筐体１１０の底板上に配置される発光装置１３０の数は、特に限定されない。筐体１１０の底板上に配置される発光装置１３０の数は、筐体１１０の開口部により規定される発光領域（発光面）の大きさに基づいて適宜設定される。
【００２３】
複数の発光装置１３０は、それぞれ発光素子１３１と、光束制御部材１３２とを有する。複数の発光装置１３０は、それぞれ発光素子１３１から出射される光の光軸（後述する発光素子１３１の光軸ＬＡ）が基板１２０の表面に対する法線に沿うように配置されている。
【００２４】
発光素子１３１は、照明装置１００（および発光装置１３０）の光源である。発光素子１３１は、基板１２０上に配置されており（図４Ｃ参照）、基板１２０上または基板１２０内に形成された配線と電気的に接続されている。
【００２５】
発光素子１３１は、例えば発光ダイオード（ＬＥＤ）である。発光装置１３０に含まれる発光素子１３１の出射光の色は、特に限定されない。本実施の形態では、例えば青色光を発する発光部と、その周囲を覆い、発光部から出射される青色光を白色光に変換する蛍光体とを有するＳＭＤタイプの発光素子を用いることができる。
【００２６】
光束制御部材１３２は、発光素子１３１から出射された光の配光を制御し、上記光の進行方向を基板１２０の面方向、特に発光素子１３１の光軸ＬＡに対して略垂直であり、かつ互いに反対向きである２つの方向に変える。光束制御部材１３２は、その入射面１３３が発光素子１３１と対向するように、具体的には、その中心軸ＣＡが発光素子１３１の光軸ＬＡに一致するように配置されている（図４Ｃ参照）。「発光素子１３１の光軸ＬＡ」とは、発光素子１３１からの立体的な出射光束の中心の光線を意味する。「光束制御部材１３２の中心軸ＣＡ」とは、例えば２回対称の対称軸をいう。
【００２７】
以下、各発光装置１３０において、発光素子１３１の発光中心を通り、かつ発光素子１３１の光軸ＬＡに平行な方向をＺ軸方向、Ｚ軸方向に対して垂直な平面において、互いに直交する２つの方向をＸ軸方向およびＹ軸方向という。具体的には、後述する光束制御部材１３２において、後述する２つの出射面１３５が対向する方向をＹ軸方向とし、該Ｚ軸方向に対して垂直な平面において、Ｙ軸方向と直交する方向をＸ軸方向という。
【００２８】
光束制御部材１３２の材料は、所望の波長の光を通過させ得るものであれば特に限定されない。たとえば、光束制御部材１３２の材料は、ポリメタクリル酸メチル（ＰＭＭＡ）やポリカーボネート（ＰＣ）、エポキシ樹脂（ＥＰ）などの光透過性樹脂、またはガラスである。
【００２９】
本実施の形態に係る照明装置１００は、光束制御部材１３２の構成に主たる特徴を有する。そこで、光束制御部材１３２については、別途詳細に説明する。
【００３０】
ケーブル１４０は、隣り合う複数の基板１２０同士を電気的に接続している。基板１２０とケーブル１４０の接続部は、コーキング材１４１で補強されている（図４Ｃ参照）。コーキング材１４１の材質の例には、ウレタン樹脂、シリコーン樹脂、エポキシ樹脂が含まれる。
【００３１】
このように、複数の発光装置１３０を、ケーブル１４０を介して電気的に接続してモジュール化することで、複数の発光装置１３０を筐体１１０の形状に合わせて自在に配置することができる。
【００３２】
光拡散板１５０は、筐体１１０の開口部を塞ぐように配置されている（図２ＡおよびＢ参照）。光拡散板１５０は、光透過性および光拡散性を有する板状の部材であり、光束制御部材１３２の出射面１３５（図５参照）からの出射光を拡散させつつ透過させる。光拡散板１５０は、例えば照明装置１００の発光面となり得る。
【００３３】
光拡散板１５０の材料は、光束制御部材１３２の出射面１３５からの出射光を拡散させつつ透過させ得るものであれば特に制限されないが、たとえばポリメタクリル酸メチル（ＰＭＭＡ）、ポリカーボネート（ＰＣ）、ポリスチレン（ＰＳ）、スチレン・メチルメタクリレート共重合樹脂（ＭＳ）などの光透過性樹脂である。光拡散性を付与するため、光拡散板１５０の表面に微細な凹凸が形成されているか、または光拡散板１５０の内部にビーズなどの光拡散子が分散している。
【００３４】
本実施の形態に係る照明装置１００では、各発光素子１３１から出射された光は、光束制御部材１３２により光拡散板１５０の広範囲を照らすように、特に発光素子１３１の光軸ＬＡに対して略垂直方向に、かつ互いに反対向きである２つの方向（図４Ａ〜ＣにおけるＹ軸方向）へ向かう光に変えられて出射される。各光束制御部材１３２から出射された光は、さらに光拡散板１５０により拡散されて、外部に出射される。それにより、照明装置１００の色ムラおよび照度ムラを抑制することができる。
【００３５】
（光束制御部材の構成）
図５Ａ〜Ｄは、光束制御部材１３２の構成を示す図である。図５Ａは、光束制御部材１３２の平面図であり、図５Ｂは、図５Ａの５Ｂ−５Ｂ線の断面図であり、図５Ｃは、底面図であり、図５Ｄは、側面図である。図６Ａは、図５Ｃの第１内天面１３３ａのＡ−Ａ線断面図であり、図６Ｂは、図５Ｃの第１内天面１３３ａのＢ−Ｂ線断面図である。
【００３６】
光束制御部材１３２は、発光素子１３１から出射された光の配光を制御する。図５Ａ〜Ｄに示されるように、光束制御部材１３２は、入射面１３３、２つの反射面１３４、２つの出射面１３５、鍔部１３６および２つの脚部１３７を有する。以下、光束制御部材１３２の入射面が形成されている側（発光素子１３１側）を裏側、反射面１３４が形成されている側を表側という。
【００３７】
入射面１３３は、発光素子１３１から出射された光の一部を入射させる。入射面１３３は、光束制御部材１３２の裏側、すなわち底面１３８の中央部に形成された凹部１３９の内面である。凹部１３９の内面形状は、特に限定されず、エッジを含む面であってもよいし、半球状や半楕円体状などのように、エッジを含まない曲面であってもよい。本実施の形態では、凹部１３９の内面形状は、エッジを含む面である。
【００３８】
具体的には、凹部１３９の内面（入射面１３３）は、少なくとも第１内天面１３３ａ（内天面）および２つの内側面１３３ｂを有し、それらの間に、２つの第２内天面１３３ｃ、２つの第３内天面１３３ｄ、および２つの第４内天面１３３ｅをさらに有する（図５ＢおよびＣ参照）。２つの第２内天面１３３ｃ、２つの第３内天面１３３ｄ、および２つの第４内天面１３３ｅは、２つの出射面１３５が対向する方向（Ｙ軸方向）において、第１内天面１３３ａを挟むように配置されている。
【００３９】
第１内天面１３３ａは、発光素子１３１の光軸ＬＡと交わるように、凹部１３９の中央部に配置された面である。第１内天面１３３ａは、発光素子１３１の発光中心から発光素子１３１の光軸ＬＡに対して少なくとも０°以上１０°以下の角度で出射された光が入射するように形成されていることが好ましい。また、第１内天面１３３ａは、発光素子１３１の光軸ＬＡに対して小さい角度で出射される光を、２つの反射面１３４の境界部に進行させないようにする観点から、発光素子１３１の光軸ＬＡに近づくにつれて、発光素子１３１の発光面からの高さが高くなるように形成されていることが好ましい。第１内天面１３３ａには、発光素子１３１に起因する色ムラを抑制するために、複数の第１凸条１４２が配置されている（図５Ｃ参照）。
【００４０】
複数の第１凸条１４２は、発光素子１３１の光軸ＬＡに沿って見たときに（Ｚ軸方向に沿って見たときに）、当該複数の第１凸条１４２の稜線が、２つの出射面１３５が対向する方向（Ｙ軸方向）と略平行となるように配置されている。第１凸条１４２の稜線が２つの出射面１３５が対向する方向（Ｙ軸方向）と略平行であるとは、Ｚ軸方向に沿って見たときに、第１凸条１４２の稜線と、２つの出射面１３５が対向する方向（Ｙ軸方向）とがなす角度が１５°以下、好ましくは０°であることをいう。すなわち、第１凸条１４２の稜線が延びる方向は、必ずしもＹ軸方向と一致していなくてもよい。２つの反射面１３４の境界部（あるいは２つの反射面１３４の間に設定される、光軸ＬＡを含む仮想平面（Ｘ軸とＺ軸を含むＸＺ平面））から２つの出射面１３５のそれぞれへ向かって、複数の第１凸条１４２が交差することのなく延びるように形成されていればよい。
【００４１】
第１凸条１４２の稜線に垂直な断面における、第１凸条１４２の断面形状は、特に制限されず、三角形であってもよいし、矩形（台形を含む）であってもよいし、半円形または半楕円形であってもよいし、波形であってもよい。本実施の形態では、第１凸条１４２の稜線に垂直な断面における、第１凸条１４２の断面形状は、三角形である（図６ＡおよびＢ参照）。
【００４２】
第１凸条１４２における「稜線」とは、凸条の最も高い部分（頂部）の線状の連なりを意味し、発光素子１３１の光軸ＬＡを含み、かつＸ軸方向と平行な断面における、第１凸条１４２の頂点を繋げた線をいう。第１凸条１４２における「稜線」は、第１凸条１４２ごとに１つであってもよいし、２つ以上であってもよい。例えば、第１凸条１４２の断面形状が波形である場合、波の頂点を繋げた１本の線が稜線となる。第１凸条１４２の断面形状が台形である場合、台形の２つの頂点（上底と脚との交点）の一方の点同士を繋げた線と、他方の点同士を繋げた線の２本の線が、それぞれ稜線となる。
【００４３】
図７は、第１凸条１４２の稜線に垂直な断面における、第１内天面１３３ａの断面形状を示すグラフである。図７において、横軸は、第１内天面１３３ａの中心からの距離ｄ１（Ｘ軸方向の距離；ｍｍ）を示しており、縦軸は、第１内天面１３３ａの基準面からの高さｈ１（Ｚ軸方向の高さ；ｍｍ）を示す。基準面とは、第１凸条１４２の稜線に垂直な断面において、第１凸条１４２の頂点とその隣にある谷底の中点を結んだ線をいう。
【００４４】
第１凸条１４２の稜線に垂直な断面において、複数の第１凸条１４２の中心間距離ａ（Ｘ軸方向の距離）は、同じであってもよいし、同じでなくてもよい。所望の配光を実現しつつ、色ムラを抑制する観点からは、複数の第１凸条１４２の中心間距離ａは、同じであることが好ましい。「複数の第１凸条１４２の中心間距離ａ」とは、複数の第１凸条１４２の中心線同士の距離をいう（図７参照）。
【００４５】
第１凸条１４２の稜線に垂直な断面において、複数の第１凸条１４２の高さｂ（Ｚ軸方向の長さ）は、同じであってもよいし、同じでなくてもよい。所望の配光を実現しつつ、色ムラを抑制する観点からは、複数の第１凸条１４２の高さｂは同じであることが好ましい。「第１凸条１４２の高さｂ」とは、第１凸条１４２の稜線に垂直な断面において、隣接する２つの第１凸条１４２の頂点を結ぶ直線と、この２つの第１凸条１４２の間に形成される凹部とその両側に形成される２つの凹部の谷底を結ぶ直線との距離の半分に相当する長さを意味する（図７参照）。
【００４６】
第１凸条１４２の稜線に垂直な断面における、複数の第１凸条１４２の中心間距離ａと高さｂの比率は、ａ：ｂ＝１：０〜１：０．５であることが好ましい。ａ：ｂが上記範囲内であると、光拡散板１５０上における照度分布に大きな影響を及ぼさずに、第１内天面１３３ａで入射する光の進行方向を僅かに変化させやすいため、所望の配光を実現しつつ、色ムラを抑制しやすい。色ムラの改善効果、金型の加工精度、および光束制御部材の成形時の転写性を考慮し、複数の第１凸条１４２の中心間距離ａは、０．１ｍｍ以上１ｍｍ以下であることが好ましい。
【００４７】
第１凸条１４２の稜線に垂直な断面における、第１凸条１４２の高さｂは、２つの出射面１３５に近づくにつれて低くなる（図５Ｃ、６ＡおよびＢ参照）。すなわち、発光素子１３１の発光中心から発光素子１３１の光軸ＬＡに対して小さい角度で出射される光、特に第１内天面１３３ａの中心付近で入射する光は、色ムラへの寄与が大きい。そのため、第１凸条１４２の稜線方向において、第１内天面１３３ａの中心側の第１凸条１４２の高さｂを高くすることで、入射した光の進行方向を変えやすくすることができる。一方、発光素子１３１の発光中心から発光素子１３１の光軸ＬＡに対して大きい角度で出射される光、例えば第１内天面１３３ａのうち出射面１３５に近い側で入射する光は、色ムラへの寄与は少ない。そのため、第１凸条１４２の稜線方向において、２つの出射面１３５に近い側の第１凸条１４２の高さｂを低くすることで、入射した光の進行方向を必要以上に変わらないようにすることができる。それにより、照明装置１００の発光面における色ムラを抑制しつつ、発光装置１３０の配光特性を損なわれにくくしうる（図６ＡおよびＢ参照）。
【００４８】
第１凸条１４２の高さｂは、２つの出射面１３５に近づくにつれて、直線的に低くなってもよいし、曲線的に低くなってもよい。直線的に低くなるとは、第１凸条１４２の稜線の傾きが、第１凸条１４２の稜線方向の位置によらず一定であることを意味し；曲線的に低くなるとは、第１凸条１４２の稜線の傾きが、第１凸条１４２の稜線方向の位置によって変化することを意味する。なお、第１凸条１４２の稜線の傾きは、具体的には、第１凸条１４２の稜線を含む断面における稜線の傾きをいう。第１凸条１４２の稜線を含む断面における稜線が曲線である場合、各位置における稜線の傾きは、当該各位置における曲線の接線の傾きをいう。本実施の形態では、第１凸条１４２の高さｂは、２つの出射面１３５に近づくにつれて、直線的に低くなっている。
【００４９】
第１凸条１４２の高さｂが２つの出射面１３５に近づくにつれて低くなる領域は、第１凸条１４２の稜線方向の全部であってもよいし、一部であってもよい。本実施の形態では、第１凸条１４２の高さｂが２つの出射面１３５に近づくにつれて低くなる領域は、第１凸条１４２の稜線方向の全部である。
【００５０】
２つの反射面１３４は、光束制御部材１３２の表側、すなわち入射面１３３を挟んで発光素子１３１と反対側（光拡散板１５０側）に配置されている。また、２つの反射面１３４は、入射面１３３から入射した光の一部を、発光素子１３１の光軸ＬＡと略垂直であり、かつ互いに反対向きである２つの方向（２つの出射面１３５が対向する方向、すなわちＹ軸方向）に反射させる。２つの反射面１３４は、発光素子１３１の光軸ＬＡを含み、かつＹ軸方向と平行な断面において、発光素子１３１の光軸ＬＡを境界として、発光素子１３１の光軸ＬＡから端部（出射面１３５）に向かうにつれて、底面１３８（基板１２０）からの高さが高くなるようにそれぞれ配置されている。具体的には、２つの反射面１３４は、当該断面において、発光素子１３１の光軸ＬＡから端部（出射面１３５）に向かうにつれて、接線の傾きが徐々に小さくなるようにそれぞれ形成されている。
【００５１】
２つの出射面１３５は、２つの反射面１３４を挟んで（Ｙ軸方向に）互いに対向して配置されている。２つの出射面１３５は、入射面１３３（特に２つの内側面１３３ｂ）で入射し、出射面１３５に直接到達した光、および入射面１３３（特に第１内天面１３３ａ）で入射し、２つの反射面１３４で反射された光を外部にそれぞれ出射させる。
【００５２】
出射面１３５は、平面であってもよいし、曲面であってもよい。本実施の形態では、出射面１３５は、光軸ＬＡと略平行な面である。「光軸ＬＡと略平行」とは、光軸ＬＡを含み、かつＹ軸方向に平行な断面において、光軸ＬＡと出射面１３５とのなす角度のうち小さいほうの角度が３°以下であることを意味する。なお、出射面１３５が曲面である場合には、光軸ＬＡと出射面１３５とのなす角度のうち小さいほうの角度は、当該断面において、光軸ＬＡと、出射面１３５の当該断面における曲線の接線とのなす角度のうち小さいほうの角度を意味する。
【００５３】
鍔部１３６は、２つの出射面１３５と光束制御部材１３２の底面１３８の外周部との間に位置し、中心軸ＣＡに対して外側に突出している。鍔部１３６の形状は、略長方形である。鍔部１３６は、必須の構成要素ではないが、鍔部１３６を設けることで、光束制御部材１３２の取り扱いおよび位置合わせが容易になる。鍔部１３６の厚みは、特に制限されず、２つの出射面１３５の必要面積や鍔部１３６の成形性などを考慮して決定され得る。
【００５４】
２つの脚部１３７は、光束制御部材１３２の底面１３８（裏面）の外周部に、底面１３８および鍔部１３６の底部から発光素子１３１側に突出している略円柱状の部材である。２つの脚部１３７は、発光素子１３１に対して適切な位置に光束制御部材１３２を支持する（図４Ｃ参照）。脚部１３７を、基板１２０に形成した穴部に嵌合させて、ＸＹ平面と平行な方向の位置決めに用いてもよい。なお、脚部１３７の数は、特に制限されない。
【００５５】
（作用）
本実施の形態に係る光束制御部材１３２の作用について、比較用の光束制御部材と対比しながら説明する。なお、比較用の光束制御部材は、第１内天面１３３ａに複数の第１凸条１４２を有しない以外は本実施の形態に係る光束制御部材と同様に構成されている。
【００５６】
比較用の光束制御部材（不図示）および本実施の形態の光束制御部材１３２では、発光素子１３１から出射された光は、入射面１３３で入射し、一部の光は２つの反射面１３４で反射されて、発光素子１３１の光軸ＬＡと垂直で、かつ互いに反対向きである２つの方向に進行した後、２つの出射面１３５から外部に出射される。出射面１３５から出射される光が、光拡散板１５０の発光装置１３０から離れた位置に到達するように制御されている（図４Ｃおよび５Ｂ参照）。
【００５７】
そして、比較用の光束制御部材では、第１内天面１３３ａは、平滑面である。したがって、発光素子１３１の光軸ＬＡに対して小さい角度（例えば発光素子１３１の発光中心から発光素子１３１の光軸ＬＡに対して少なくとも０°以上１０°以下の角度）で出射された光は、平滑面からの入射であるため、進行方向が乱されることなく、光拡散板１５０の特定の領域に集中して到達しやすい。その結果、発光素子１３１の特定の領域の青色が、他の領域よりも強く出やすくなり、色ムラが生じやすい。
【００５８】
これに対して、本実施の形態の光束制御部材１３２では、第１内天面１３３ａには、Ｙ軸方向と略平行な稜線を有する複数の第１凸条１４２が配置され（図５Ｃ参照）、かつ第１凸条１４２の高さは、出射面１３５に近づくにつれて低くなっている（図６ＡおよびＢ参照）。
それにより、発光素子１３１の発光中心から発光素子１３１の光軸ＬＡに対して小さい角度で出射された光、特に第１内天面１３３ａの中心付近で入射する光（色ムラへの寄与が大きい光）は、第１凸条１４２によって光の進行方向が十分に変えられるため、光拡散板１５０の特定の領域に集中して到達しにくくしうる。一方、発光素子１３１の発光中心から発光素子１３１の光軸ＬＡに対して大きい角度で出射された光、例えば２つの出射面１３５側の端部付近で入射する光（色ムラへの寄与が小さい光）は、第１凸条１４２によって、光の進行方向が必要以上には変えられないため、配光特性が損なわれにくい。それにより、照明装置１００の発光面における色ムラを抑制しつつ、発光装置１３０の配光特性をこれまで以上に損なわれにくくしうる。
【００５９】
なお、上記実施の形態１では、第１凸条１４２の稜線に垂直な断面において、第１凸条１４２の幅（Ｘ軸方向の大きさ）が、第１凸条１４２の稜線方向で一定である例を示したが（図５Ｃ、６ＡおよびＢ参照）、これに限定されず、一定でなくてもよい。すなわち、第１凸条１４２の稜線に垂直な断面における、第１凸条１４２の幅（Ｘ軸方向の大きさ）は、Ａ−Ａ線断面と、Ｂ−Ｂ線断面とで異なっていてもよい。
【００６０】
図８Ａ〜Ｃは、第１凸条１４２の稜線に垂直な断面における、第１内天面１３３ａの断面形状の変形例を示す図である。図８Ａ〜Ｃに示されるように、第１凸条１４２の稜線に垂直な断面において、第１凸条１４２の幅ｃ（Ｘ軸方向の大きさ）は、出射面１３５に近づくにつれて小さくなってもよい。それにより、第１凸条１４２の頂角が同じ大きさとなるように金型を加工できるため金型製作が容易となる。なお、第１凸条１４２の稜線に垂直な断面における、複数の第１凸条１４２の中心間距離ａは一定である（図８Ａ〜Ｃ参照）。
【００６１】
また、上記実施の形態１では、第１凸条１４２の稜線に垂直な断面において、第１凸条１４２の断面形状が、図６ＡおよびＢに示されるような三角形である例を示したが、これに限定されない。
【００６２】
図９Ａ〜Ｆは、第１凸条１４２の稜線に垂直な断面における、第１内天面１３３ａの断面形状の変形例を示す図である。すなわち、第１凸条１４２の稜線に垂直な断面における、第１凸条１４２の断面形状は、半円形または半楕円形であってもよいし（図９ＡおよびＢ、９ＥおよびＦ参照）、波形であってもよい（図９ＣおよびＤ参照）。
【００６３】
（シミュレーション１）
本実施の形態に係る光束制御部材Ａ−１（図５Ｃ、６ＡおよびＢ）またはＡ−２（図８Ａ〜Ｃ）を用いた照明装置１００の、光拡散板１５０上における照度分布および色度Ｙ値を解析した。照度分布および色度Ｙ値の解析は、１つの発光装置１３０のみを有する照明装置１００を用いて行った。
また、比較のため、第１内天面１３３ａが凸条を有しない以外は光束制御部材Ａ−１またはＡ−２と同様である光束制御部材（比較）を用いた照明装置の、光拡散板上における照度分布と色度Ｙ値も解析した。
【００６４】
光束制御部材Ａ−１およびＡ−２のパラメータを、以下のように設定した。
【００６５】
＜第１内天面１３３ａのパラメータ＞
第１凸条１４２の稜線に垂直な断面において、第１凸条１４２の断面形状は、三角形とした。第１凸条１４２の稜線に垂直な断面における、複数の第１凸条１４２の中心間距離ａおよび高さｂは、以下のように設定した。
・光束制御部材Ａ−１：
中心間距離a：高さｂ＝１：０．１４（Ａ−Ａ線断面）
中心間距離ａ＝５００μｍ、高さｂ＝７２μｍ
第１凸条１４２の高さｂは、Ｙ軸方向に出射面１３５に近づくにつれて徐々に低くなり、Ｂ−Ｂ線断面における高さｂが０μｍに近づくように設定した。
・光束制御部材Ａ−２
中心間距離a：高さｂ＝１：０．１４（Ａ−Ａ線断面）
中心間距離ａ＝５００μｍ、高さｂ＝７２μｍ
第１凸条１４２の高さｂは、Ｙ軸方向に出射面１３５に近づくにつれて徐々に低くなり、Ｂ−Ｂ線断面における高さｂが０μｍに近づくように設定した。また、第１凸条１４２の幅も、Ｙ軸方向に出射面１３５に近づくにつれて徐々に小さくなり、Ｂ−Ｂ線断面における幅が０μｍに近づくように設定した。
【００６６】
＜その他の共通パラメータ＞
・光束制御部材１３２の外径：Ｙ軸方向の長さ１１．１ｍｍ、Ｘ軸方向の長さ９．２ｍｍ
・発光素子１３１の高さ：０．７５ｍｍ
・発光素子１３１の大きさ：φ２．８ｍｍ
・基板１２０と光拡散板１５０との間隔：５０ｍｍ
【００６７】
図１０Ａは、本実施の形態に係る照明装置の光拡散板上における照度分布の解析結果と、比較用の照明装置の光拡散板上における照度分布の解析結果とを示すグラフである。図１０Ａの横軸は、光拡散板１５０における、発光素子１３１の光軸ＬＡからの距離ｄ２（Ｙ軸方向の距離；ｍｍ）を示し、縦軸は、光拡散板１５０における各距離での最大照度を１としたときの相対照度を示している。
図１０Ｂは、本実施の形態に係る照明装置の光拡散板上における色度Ｙ値の解析結果と、比較用の照明装置の光拡散板上における色度Ｙ値の解析結果を示すグラフである。図１０Ｂの横軸は、光拡散板１５０における、発光素子１３１の光軸ＬＡからの距離ｄ２（Ｙ軸方向の距離；ｍｍ）を示し、縦軸は、光拡散板１５０における色度Ｙ値を示している。
【００６８】
図１０Ａに示されるように、本実施の形態に係る光束制御部材Ａ−１またはＡ−２を用いた照明装置の照度分布は、Ｙ軸方向における光の拡がりが、比較用の光束制御部材を用いた照明装置の照度分布と同等であり、配光特性を高度に維持していることがわかる。
【００６９】
また、図１０Ｂに示されるように、比較用の光束制御部材を用いた照明装置は、発光素子１３１の光軸ＬＡからの距離ｄ２が４０ｍｍ付近（特定の領域）の谷底部とそれと隣接する頂部（図１０Ｂの矢印参照）との色度差が大きく、青味がかった色ムラが生じるのに対し、本実施の形態に係る光束制御部材Ａ−１またはＡ−２を用いた照明装置１００は、発光素子１３１の光軸ＬＡからの距離ｄ２が４０ｍｍ付近の谷底部とそれと隣接する頂部との色度差が小さく、色ムラが低減されていることがわかる。
【００７０】
これらのことから、本実施の形態に係る光束制御部材を用いた照明装置は、配光特性を高度に維持しつつ、照明装置１００の発光面における色ムラを十分に抑制できることがわかる。
【００７１】
（効果）
以上のように、本実施の形態に係る光束制御部材１３２は、第１内天面１３３ａに複数の第１凸条１４２が配置されており、かつ第１凸条１４２の高さが、出射面１３５に近づくにつれて低くなっている。それにより、発光素子１３１から出射された光のうち、特に発光素子１３１の光軸ＬＡに対して小さい角度で出射された光（色ムラへの寄与が大きい光）の出射方向を適度に変えつつ、それ以外の光（色ムラへの寄与が少ない光）の出射方向は必要以上に変えないため、所望の配光特性を維持しつつ、色ムラを抑制することができる。
【００７２】
［実施の形態２］
（光束制御部材の構成）
次に、図１１を参照して、実施の形態２に係る光束制御部材１３２について説明する。図１１Ａ〜Ｄは、実施の形態２に係る光束制御部材の構成を示す図である。図１１Ａは、光束制御部材１３２の平面図であり、図１１Ｂは、図１１Ａの１１Ｂ−１１Ｂ線の断面図であり、図１１Ｃは、底面図であり、図１１Ｄは、側面図である。図１２Ａは、図１１Ｄの出射面のＡ−Ａ線断面図であり、図１２Ｂは、図１１Ｄの出射面のＢ−Ｂ線断面図である。本実施の形態に係る光束制御部材１３２は、入射面１３３（第１天面１３３ａ）が複数の第１凸条１４２を有する代わりに、２つの出射面１３５が複数の第２凸条１４３を有する点で、実施の形態１に係る光束制御部材１３２と異なる。そこで、実施の形態１に係る光束制御部材１３２と同じ構成要素については同一の符番を付して、その説明を省略する。
【００７３】
本実施の形態に係る光束制御部材１３２では、２つの出射面１３５に、複数の第２凸条１４３がそれぞれ配置されている（図１１Ｄ参照）。
【００７４】
第２凸条１４３の稜線に垂直な断面における、第２凸条１４３の断面形状は、特に制限されず、波形であってもよいし、半円形または半楕円形であってもよいし、三角形であってもよいし、矩形（台形を含む）であってもよい。本実施の形態では、第２凸条１４３の稜線に垂直な断面における、第２凸条１４３の断面形状は、三角形である（図１２ＡおよびＢ参照）。
【００７５】
第２凸条１４３は、２つの出射面１３５が対向する方向（Ｙ軸方向）に沿って見たときに、発光素子１３１の光軸ＬＡと略平行な稜線を有する。略平行とは、Ｙ軸方向に沿って見たときに、発光素子１３１の光軸ＬＡと、第２凸条１４３の稜線とがなす角度が１５°以下、好ましくは０°であることをいう。このように、光軸ＬＡと第２凸条１４３の稜線とがなす角度を極力小さくするのは、光束制御部材１３２の成形用金型を複雑な構造にしなくても、金型から成形品を無理なく取り出せるようにするためである。成形品の取り出し方向と交差する方向にスライドする金型構造を採用することが可能であれば、光軸ＬＡに対して傾ける角度の制限をなくすこともできる。また、光束制御部材１３２を基板１２０へ実装する際に、光軸ＬＡと第２凸条１４３の稜線とのなす角を大きく傾けることも可能である。
【００７６】
第２凸条１４３における「稜線」とは、前述と同様に、凸条の最も高い部分の線状の連なりを意味し、発光素子１３１の光軸ＬＡに対して垂直な断面における第２凸条１４３の頂点を繋げた線をいう。
【００７７】
第２凸条１４３の稜線に垂直な断面において、複数の第２凸条１４３の中心間距離ａ（Ｘ軸方向の距離）は、同じであってもよいし、同じでなくてもよい。所望の配光を実現しつつ、色ムラを抑制する観点からは、複数の第２凸条１４３の中心間距離ａは、同じであることが好ましい。「複数の第２凸条１４３の中心間距離ａ」とは、前述と同様に、第２凸条１４３の稜線に垂直な断面において、複数の第２凸条１４３の中心線同士の距離をいう（図１３参照）。
【００７８】
第２凸条１４３の稜線に垂直な断面において、複数の第２凸条１４３の高さｂ（Ｙ軸方向の長さ）は、同じであってもよいし、同じでなくてもよい。金型加工のし易さの観点からは、複数の第２凸条１４３の高さｂは同じであることが好ましい。「第２凸条１４３の高さｂ」とは、前述と同様に、第２凸条１４３の稜線に垂直な断面において、隣接する２つの第２凸条１４３の頂点を結ぶ直線と、この２つの第２凸条１４３の間に形成される凹部とその両側に形成される２つの凹部の谷底を結ぶ直線との距離の半分に相当する長さを意味する（図１３参照）。
【００７９】
第２凸条１４３の稜線に垂直な断面における、複数の第２凸条１４３の中心間距離ａと高さｂの比率は、ａ：ｂ＝１：０〜１：０．５であることが好ましい。ａ：ｂが上記範囲内であると、出射面１３５から出射される光の進行方向を僅かに変化させやすいため、所望の配光を実現しつつ、色ムラを抑制しやすい。色ムラの改善効果、金型の加工精度、および光束制御部材１３２の成形時の転写性を考慮し、複数の第２凸条１４３の中心間距離ａは、０．１ｍｍ以上２ｍｍ以下であることが好ましい。
【００８０】
第２凸条１４３の稜線に垂直な断面における、第２凸条１４３の高さｂは、表側から裏側に近づくにつれて低くなる（図１２ＡおよびＢ参照）。すなわち、発光素子１３１の発光中心から発光素子１３１の光軸ＬＡに対して小さい角度で出射される光（色ムラへの寄与が大きい光）は、第１内天面１３３ａで入射し、反射面１３４で反射されて、２つの出射面１３５の上端部（光束制御部材１３２の表側）に近い箇所から出射されやすい。そのため、光束制御部材１３２の表側（反射面１３４側）に近い第２凸条１４３の高さｂを高くして、出射面１３５から出射される光の進行方向を変えやすくする。
一方、発光素子１３１の発光中心から発光素子１３１の光軸ＬＡに対して大きい角度で出射される光（色ムラへの寄与が少ない光）は、例えば第２内天面１３３ｃや第３内天面１３３ｄ、第４内天面１３３ｅまたは内側面１３３ｂで入射した後、直接、２つの出射面１３５の下端部（光束制御部材１３２の裏側）に到達しやすく、当該出射面１３５の下端部（光束制御部材１３２の裏側）に近い箇所から出射されやすい。そのため、光束制御部材１３２の裏側（底面１３８側）に近い側の第２凸条１４３の高さｂを低くし、出射面１３５から出射される光の進行方向は必要以上に変わらないようにすることで、配光特性が損なわれないようにする。それにより、照明装置１００の発光面における色ムラを抑制しつつ、発光装置１３０の配光特性をこれまで以上に損なわれにくくしうる（図１２ＡおよびＢ参照）。
【００８１】
第２凸条１４３の稜線に垂直な断面における、第２凸条１４３の高さｂは、表側から裏側へ向かうにつれて、直線的に低くなってもよいし、曲線的に低くなってもよい。直線的に低くなるとは、前述と同様に、第２凸条１４３の稜線の傾きが、第２凸条１４３の稜線方向の位置によらず一定であることを意味し；曲線的に低くなるとは、第２凸条１４３の稜線の傾きが、第２凸条１４３の稜線方向の位置によって変化することを意味する。なお、第２凸条１４３の稜線の傾きは、具体的には、第２凸条１４３の稜線を含む断面における稜線の傾きをいう。第２凸条１４３の稜線を含む断面における稜線が曲線である場合、各位置における稜線の傾きは、当該各位置における曲線の接線の傾きをいう。本実施の形態では、第２凸条１４３の高さｂは、表側から裏側に向かうにつれて、直線的に低くなっている。
【００８２】
第２凸条１４３の高さｂが裏側に近づくにつれて低くなる領域は、第２凸条１４３の稜線方向の全部であってもよいし、一部であってもよい。本実施の形態では、第２凸条１４３の高さｂが裏側に近づくにつれて低くなる領域は、第２凸条１４３の稜線方向の全部である。
【００８３】
（作用）
本実施の形態の光束制御部材１３２では、２つの出射面１３５には、発光素子１３１の光軸ＬＡ（Ｚ軸方向）と略平行な稜線を有する複数の第２凸条１４３が配置されている（図１１Ｄ参照）。また、第２凸条１４３の稜線に垂直な断面における、第２凸条１４３の高さは、表側から裏側に近づくにつれて低くなっている（図１２ＡおよびＢ参照）。それにより、発光素子１３１の発光中心から発光素子１３１の光軸ＬＡに対して小さい角度で出射された光（色ムラへの寄与が大きい光）は、第１内天面１３３ａで入射した後、反射面１３４で反射されて、出射面１３５の上端部付近（光束制御部材１３２の表側）に到達しやすい。出射面１３５の上端部付近（光束制御部材１３２の表側）に到達した光は、（高さが高い）第２凸条１４３によって光の進行方向が適度に変えられるため、光拡散板１５０の特定の領域に集中して到達しないようにすることができる。
一方、発光素子１３１の発光中心から発光素子１３１の光軸ＬＡに対して大きい角度（色ムラへの寄与が少ない光）で出射された光は、内側面１３３ｂなどで入射した後、出射面１３５の下端部付近（光束制御部材１３２の裏側）に到達しやすい。出射面１３５の下端部付近（光束制御部材１３２の裏側）に到達した光は、（高さが低い）第２凸条１４３によって光の進行方向が必要以上には変わらないため、配光特性が損なわれにくい。
それにより、照明装置１００の発光面における色ムラを抑制しつつ、発光素子１３１から出射された光の配光特性をこれまで以上に損なわないようにすることができる。
【００８４】
なお、上記実施の形態２では、第２凸条１４３の稜線に垂直な断面において、第２凸条１４３の幅（Ｘ軸方向の大きさ）が、第２凸条１４３の稜線方向で一定である例を示したが（図１１Ｄ、１２ＡおよびＢ参照）、これに限定されず、一定でなくてもよい。すなわち、第２凸条１４３の稜線に垂直な断面における、第２凸条１４３の幅（Ｘ軸方向の大きさ）は、Ａ−Ａ線断面と、Ｂ−Ｂ線断面とで異なっていてもよい。
【００８５】
図１３Ａ〜Ｃは、第２凸条１４３の稜線に垂直な断面における、出射面１３５の断面形状の変形例を示す図である。図１３Ａ〜Ｃに示されるように、第２凸条１４３の稜線に垂直な断面において、第２凸条１４３の幅ｃ（Ｘ軸方向の大きさ）は、裏側に近づくにつれて小さくなってもよい。それにより、高さが一定の場合と同様の効果が得られる。なお、第２凸条１４３の稜線に垂直な断面における、複数の第２凸条１４３の中心間距離ａは一定である（図１３Ａ〜Ｃ参照）。
【００８６】
なお、上記実施の形態２では、第２凸条１４３の稜線に垂直な断面における、第２凸条１４３の断面形状が、図１２ＡおよびＢに示されるような三角形である例を示したが、これに限定されない。
【００８７】
図１４Ａ〜Ｆは、第２凸条１４３の稜線に垂直な断面における、出射面１３５の断面形状の変形例を示す図である。すなわち、第２凸条１４３の稜線に垂直な断面における、第２凸条１４３の断面形状は、波形であってもよいし（図１４Ａ〜Ｂ参照）、半円形または半楕円形であってもよい（図１４Ｃ〜Ｆ参照）。
【００８８】
（シミュレーション２）
本実施の形態に係る光束制御部材Ｂ−１（図１１Ａ〜Ｄ、１２ＡおよびＢ）またはＢ−２（図１３Ａ〜Ｃ）を用いた照明装置１００の、光拡散板１５０上における照度分布と色度Ｙ値を解析した。
また、比較のため、出射面１３５が凸条を有しない以外は光束制御部材Ｂ−１またはＢ−２と同様である光束制御部材（比較１）を用いた照明装置、およびＺ軸方向における第２凸条の高さを一定とした以外は光束制御部材Ｂ−１またはＢ−２と同様である光束制御部材（比較２）を用いた照明装置の、光拡散板上における色度Ｙ値と照度分布も、それぞれ解析した。
【００８９】
光束制御部材Ｂ−１およびＢ−２の出射面１３５のパラメータを、以下のように設定した。その他の共通パラメータは、シミュレーション１と同様とした。
【００９０】
＜出射面１３５のパラメータ＞
第２凸条１４３の稜線に垂直な断面における、第２凸条１４３を有する出射面１３５の形状は、三角形とした。また、第２凸条１４３の稜線に垂直な断面における、複数の第２凸条１４３の中心間距離ａおよび高さｂは、以下のように設定した。
・光束制御部材Ｂ−１
中心間距離a：高さｂ＝１：０．１３（Ａ−Ａ線断面）
中心間距離ａ＝７５０μｍ、高さｂ＝１００μｍ
出射面１３５のＺ軸方向の高さｈ（図１１Ｄ参照）＝３．９ｍｍ
第２凸条１４３の高さｂは、Ｚ軸方向に底面１３８に近づくにつれて徐々に低くなり、Ｂ−Ｂ線断面における高さｂが０μｍに近づくように設定した。
・光束制御部材Ｂ−２
中心間距離a：高さｂ＝１：０．１５（Ａ−Ａ線断面）
中心間距離ａ＝７５０μｍ、高さｂ＝１１０μｍ
出射面１３５のＺ軸方向の高さｈ（図１１Ｄ参照）＝３．９ｍｍ
第２凸条１４３の高さｂは、Ｚ軸方向に底面１３８に近づくにつれて徐々に低くなり、Ｂ−Ｂ線断面における高さｂが０μｍに近づくように設定した。また、第２凸条１４３の幅も、Ｚ軸方向に底面１３８に近づくにつれて徐々に小さくなり、Ｂ−Ｂ線断面における幅が０μｍに近づくように設定した。
【００９１】
図１５Ａは、本実施の形態に係る照明装置の光拡散板上における照度分布の解析結果と、比較用の照明装置の光拡散板上における照度分布の解析結果とを示すグラフである。図１５Ａの横軸は、光拡散板１５０における、発光素子１３１の光軸ＬＡからの距離ｄ２（Ｙ軸方向の距離；ｍｍ）を示し、縦軸は、光拡散板１５０における各距離での最大照度を１としたときの相対照度を示している。
図１５Ｂは、本実施の形態に係る照明装置の光拡散板上における色度Ｙ値の解析結果と、比較用の照明装置の光拡散板上における色度Ｙ値の解析結果とを示すグラフである。図１５Ｂの横軸は、光拡散板１５０における、発光素子１３１の光軸ＬＡからの距離ｄ２（Ｙ軸方向の距離；ｍｍ）を示し、縦軸は、光拡散板１５０における色度Ｙ値を示している。
【００９２】
図１５Ａに示されるように、本実施の形態に係る光束制御部材Ｂ−１またはＢ−２を用いた照明装置の照度分布は、Ｙ軸方向における光の拡がりが、比較用の光束制御部材（比較１）を用いた照明装置の照度分布と比較して大きくは損なわれておらず、配光特性を概ね維持できていることがわかる。また、Ｙ軸方向における光の拡がりが、比較用の光束制御部材（比較２）を用いた照明装置の照度分布よりも広く、（比較２と比べると）配光特性が損なわれにくいことがわかる。
【００９３】
また、図１５Ｂに示されるように、比較用の光束制御部材を用いた照明装置（比較１）は、発光素子１３１の光軸ＬＡからの距離ｄ２が４０ｍｍ付近の谷底部とそれと隣接する頂部（図１５Ｂの矢印参照）との色度差が大きく、青味がかった色ムラが生じるのに対し、本実施の形態に係る光束制御部材Ｂ−１またはＢ−２を用いた照明装置１００は、発光素子１３１の光軸ＬＡからの距離ｄ２が４０ｍｍ付近の谷底部とそれと隣接する頂部との色度差が小さく、色ムラが低減されていることがわかる。また、本実施の形態に係る光束制御部材Ｂ−１またはＢ−２を用いた照明装置１００は、比較２と同等の色ムラ低減効果が得られることもわかる。
【００９４】
これらのことから、本実施の形態に係る光束制御部材を用いた照明装置は、配光特性を良好に維持しつつ、照明装置１００の発光面における色ムラを十分に抑制できることがわかる。
【００９５】
（効果）
以上のように、本実施の形態に係る光束制御部材１３２は、２つの出射面１３５に複数の第２凸条１４３が配置されており、かつ第２凸条１４３の高さが表側から裏側へ向かうにつれて低くなっている。それにより、発光素子１３１から出射された光のうち、特に発光素子１３１の光軸ＬＡに対して小さい角度で出射された光（色ムラへの寄与が大きい光）の出射方向を適度に変えつつ、それ以外の光（色ムラへの寄与が少ない光）の出射方向は必要以上に変えないため、所望の配光特性を維持しつつ、色ムラを抑制することができる。
【００９６】
［実施の形態３］
（光束制御部材の構成）
次に、図１６を参照して、実施の形態３に係る光束制御部材１３２について説明する。図１６Ａ〜Ｄは、実施の形態３に係る光束制御部材の構成を示す図である。図１６Ａは、光束制御部材１３２の平面図であり、図１６Ｂは、図１６Ａの１６Ｂ−１６Ｂ線の断面図であり、図１６Ｃは、底面図であり、図１６Ｄは、側面図である。図１７Ａは、図１６Ｃの第１内天面１３３ａのＡ−Ａ線断面図であり、図１７Ｂは、図１６Ｃの第１内天面１３３ａのＢ−Ｂ線断面図である。本実施の形態に係る光束制御部材１３２は、２つの出射面１３５および２つの反射面１３４にもそれぞれ第２凸条１４３および第３凸条１４４をさらに設けた点で、実施の形態１に係る光束制御部材１３２と異なる。そこで、実施の形態１に係る光束制御部材１３２と同じ構成要素については同一の符番を付して、その説明を省略する。
【００９７】
本実施の形態に係る光束制御部材１３２では、２つの出射面１３５に、複数の第２凸条１４３がさらに配置されている（図１６Ｄ参照）。第２凸条１４３の稜線に垂直な断面における高さｂは、Ｚ軸方向において一定であってもよいし、底面１３８に近づくにつれて低くなってもよい。本実施の形態では、第２凸条１４３の稜線に垂直な断面における高さｂは、Ｚ軸方向において一定である。
【００９８】
第２凸条１４３の稜線に垂直な断面において、光束制御部材１３２の出射面１３５の断面形状は、式（１）を満たすように設定されうる。
ｈｙ＝ｂ×ｃｏｓ（２πｄｘ／ａ）・・・式（１）
（ａ：複数の第２凸条１４３の中心間距離（ｍｍ）、
ｂ：第２凸条１４３の高さ（ｍｍ）、
ｄｘ：出射面１３５における中心からの距離（Ｘ軸方向の距離；ｍｍ）、
ｈｙ：出射面１３５の基準面からの高さ（Ｙ軸方向の高さ；ｍｍ））
【００９９】
第２凸条１４３の稜線に垂直な断面における、複数の第２凸条１４３の中心間距離ａと高さｂの比率は、ａ：ｂ＝２：１〜１３：１であることが好ましい。ａ：ｂが上記範囲内であると、２つの出射面１３５から出射される光を散乱させるのではなく、進行方向を僅かに変化させることができるため、所望の配光を実現しつつ、色ムラを抑制しやすい。中でも、色ムラを抑制できるだけでなく、照度分布をより改善できる点から、複数の第２凸条１４３の中心間距離ａと高さｂの比率は、ａ：ｂ＝５：１〜１１：１であることがより好ましく、ａ：ｂ＝５：１〜１０：１であることがさらに好ましい。
【０１００】
第２凸条１４３の稜線に垂直な断面において、複数の第２凸条１４３の中心間距離ａは、特に制限されないが、色ムラの抑制効果が得られやすい観点などから、例えば０．１２５ｍｍ以上４．０００ｍｍ以下であることが好ましい。中でも、複数の第２凸条１４３の中心間距離ａと高さｂの比率がａ：ｂ＝５：１〜１０：１であるとき、複数の第２凸条１４３の中心間距離ａは、０．１２５ｍｍ超２．０００ｍｍ以下であることがより好ましい。
【０１０１】
本実施の形態に係る光束制御部材１３２では、２つの反射面１３４のうち少なくとも一部、好ましくは第１内天面１３３ａで入射した光が到達する領域に、複数の第３凸条１４４がさらに配置されている（図１６ＡおよびＢ参照）。
【０１０２】
２つの反射面１３４において第１内天面１３３ａで入射した光が到達する領域とは、例えば、２つの反射面１３４における、発光素子１３１の光軸ＬＡの近傍の領域である（図１６Ａ参照）。第３凸条１４４は、発光素子１３１の光軸ＬＡに沿って見たときに（Ｚ軸方向に沿って見たときに）、その稜線が２つの出射面１３５が対向する方向（または第１凸条１４２の稜線）に対して略垂直となるように形成されている。略垂直とは、具体的には、２つの出射面１３５が対向する方向（または第１凸条１４２の稜線）と第３凸条１４４の稜線とのなす角度が９０±５°以下、好ましくは９０°であることをいう。
【０１０３】
複数の第３凸条１４４は、発光素子１３１の光軸ＬＡに沿って見たときに（Ｚ軸方向に沿って見たときに）、その稜線が第１凸条１４２の稜線に対して略垂直となるように形成されている。
【０１０４】
第３凸条１４４における「稜線」とは、前述と同様に、凸条の最も高い部分を繋げた線状の連なりを意味し、発光素子１３１の光軸ＬＡを含み、かつＹ軸方向に平行な断面における第３凸条１４４の頂点を繋げた線をいう。複数の第３凸条１４４は、Ｚ軸方向に沿って見たときに、その稜線がＸ軸方向に略平行となるように配置されてもよいし（図１６Ａ参照）、光軸ＬＡを囲む円環状の一部となるように配置されてもよい（不図示）。
【０１０５】
第３凸条１４４の稜線に垂直な断面（発光素子１３１の光軸ＬＡを含み、かつＹ軸方向に平行な断面）において、第３凸条１４４の断面形状は、特に制限されず、波形であってもよいし、三角形であってもよいし、矩形（台形を含む）であってもよい。
【０１０６】
第３凸条１４４の稜線に垂直な断面において、複数の第３凸条１４４の中心間距離ａ（Ｙ軸方向の距離）は、同じであってもよいし、同じでなくてもよい。例えば、第３凸条１４４の稜線に垂直な断面において、発光素子１３１の光軸ＬＡからＹ軸方向に離れるにつれて、複数の第３凸条１４４の中心間距離ａが徐々に小さくなっていてもよい。複数の第３凸条１４４の中心間距離ａとは、前述と同様に、発光素子１３１の光軸ＬＡを含み、かつＹ軸方向に平行な断面において、隣接する２つの第３凸条１４４の中心線同士の距離をいう。
【０１０７】
第３凸条１４４の稜線に垂直な断面において、複数の第３凸条１４４の高さｂ（Ｚ軸方向の長さ）は、同じであってもよいし、同じでなくてもよい。例えば、第３凸条１４４の稜線に垂直な断面（発光素子１３１の光軸ＬＡを含み、かつＹ軸方向に平行な断面）において、発光素子１３１の光軸ＬＡからＹ軸方向に離れるにつれて、第３凸条１４４の高さｂが、徐々に小さくなっていてもよい。「第３凸条１４４の高さｂ」とは、第３凸条１４４の稜線に垂直な断面において、隣接する２つの第３凸条１４４の頂点を結ぶ直線と、この２つの第３凸条１４４の間に形成される凹部とその両側に形成される２つの凹部の谷底を結ぶ直線との距離の半分に相当する長さを意味する。
【０１０８】
（作用）
本実施の形態の光束制御部材１３２では、第１内天面１３３ａには、Ｙ軸方向と略平行な稜線を有する複数の第１凸条１４２が配置され（図１６Ｃ参照）、２つの反射面１３４には、Ｘ軸方向と略平行な稜線を有する複数の第３凸条１４４が配置され（図１６Ａ参照）、かつ２つの出射面１３５には、Ｚ軸方向と略平行な稜線を有する複数の第２凸条１４３が配置されている（図１６Ｄ参照）。それにより、発光素子１３１の発光中心から発光素子１３１の光軸ＬＡに対して小さい角度で出射された光は、入射面１３３の第１凸条１４２、反射面１３４の第３凸条１４４、および出射面１３５の第２凸条１４３でそれぞれ光の進行方向がそれぞれ適度に変えられるため、光拡散板１５０の特定の領域に集中して到達しないようにすることができる。
【０１０９】
（シミュレーション３）
本実施の形態に係る光束制御部材Ｃ−１（図１６Ａ〜Ｄ、図１７ＡおよびＢ）またはＣ−２（Ｃ−１の第１内天面１３３ａの形状を図８Ａ〜Ｃに変更したもの）（図１６Ａ、ＢおよびＤ、図８Ａ〜Ｃ）を用いた照明装置１００の、光拡散板１５０上における照度分布と色度Ｙ値を解析した。
また、比較のため、第１内天面１３３ａが凸条を有しない以外は光束制御部材Ｃ−１またはＣ−２と同様である光束制御部材（比較）を用いた照明装置の、光拡散板上における照度分布と色度Ｙ値も解析した。
【０１１０】
光束制御部材Ｃ−１（図１６Ａ〜Ｄ、図１７ＡおよびＢ）およびＣ−２（図１６Ａ、ＢおよびＤ、図８Ａ〜Ｃ）において、２つの反射面１３４のパラメータおよび２つの出射面１３５のパラメータは、それぞれ以下のように設定した。その他、第１内天面１３３ａのパラメータおよび共通パラメータは、シミュレーション１と同様に設定した。
【０１１１】
＜反射面１３４のパラメータ＞
第３凸条１４４の稜線に垂直な断面における、第３凸条１４４を有する反射面１３４の形状は、以下のように設定した。
【０１１２】
図１８Ａは、第３凸条１４４の稜線に垂直な断面における、光束制御部材Ｃ−１またはＣ−２の反射面１３４の断面形状を示すグラフである。図１８Ｂは、第３凸条１４４の稜線に垂直な断面において、第３凸条１４４を有する図１７Ａ〜Ｄの光束制御部材Ｃ−１またはＣ−２の反射面１３４の断面形状の解析結果から、第３凸条１４４を有しない以外は光束制御部材Ｃ−１またはＣ−２と同様の光束制御部材の反射面１３４の断面形状の解析結果を差し引いた結果（Δｈ１；ｍｍ）を示すグラフである。
【０１１３】
図１８ＡおよびＢの横軸は、発光素子１３１の光軸ＬＡからの距離ｄ２（Ｙ軸方向の距離；ｍｍ）を示している。図１８Ａの縦軸は、反射面１３４の、発光素子１３１の光軸ＬＡが交わる点に対する底面１３８からの高さｈ１（Ｚ軸方向の高さ；ｍｍ）を示している。図１８Ｂの縦軸は、第３凸条１４４を有する光束制御部材Ｃ−１またはＣ−２の反射面１３４の断面形状から、第３凸条１４４を有しない光束制御部材の反射面１３４の断面形状を差し引いた差Δｈ１（Ｚ軸方向の高さ；ｍｍ）を示している。
ａ：第３凸条１４４の中心間距離（ｍｍ）
ｂ：第３凸条１４４の高さ（Ｚ軸方向の長さ；ｍｍ）
第３凸条１４４の中心間距離ａ：高さｂ＝２０：１
第３凸条１４４の中心間距離ａ＝５００μｍ、高さｂ＝２５μｍ
【０１１４】
＜出射面１３５のパラメータ＞
第２凸条１４３の稜線に垂直な断面における、第２凸条１４３を有する出射面１３５の形状は、前述の式（１）を満たすように設定した。また、第２凸条１４３の稜線に垂直な断面における、複数の第２凸条１４３の中心間距離ａおよび高さｂは、以下のように設定した。なお、第２凸条１４３の高さｂは、稜線方向で一定とした。
中心間距離a：高さｂ＝７．５：１（Ａ−Ａ線、Ｂ−Ｂ線断面共通）
中心間距離ａ＝７５０μｍ、高さｂ＝１００μｍ
【０１１５】
図１９Ａは、本実施の形態に係る照明装置の光拡散板上における照度分布の解析結果と、比較用の照明装置の光拡散板上における照度分布の解析結果とを示すグラフである。図１９Ａの横軸は、光拡散板１５０における、発光素子１３１の光軸ＬＡからの距離ｄ２（Ｙ軸方向の距離；ｍｍ）を示し、縦軸は、光拡散板１５０における各距離での最大照度を１としたときの相対照度を示している。
図１９Ｂは、本実施の形態に係る照明装置の光拡散板上における色度Ｙ値の解析結果と、比較用の照明装置の光拡散板上における色度Ｙ値の解析結果とを示すグラフである。図１９Ｂの横軸は、光拡散板１５０における、発光素子１３１の光軸ＬＡからの距離ｄ２（Ｙ軸方向の距離；ｍｍ）を示し、縦軸は、光拡散板１５０における色度Ｙ値を示している。
【０１１６】
図１９Ａに示されるように、本実施の形態に係る光束制御部材Ｃ−１またはＣ−２を用いた照明装置の照度分布は、Ｙ軸方向における光の拡がりが、比較用の光束制御部材を用いた照明装置と同等であり、配光特性を高度に維持していることもわかる。
【０１１７】
また、図１９Ｂに示されるように、比較用の光束制御部材を用いた照明装置は、発光素子１３１の光軸ＬＡからの距離ｄ２が４０ｍｍ付近の谷底部とそれと隣接する頂部（図１９Ｂの矢印参照）との色度差が大きく、青味がかった色ムラが生じるのに対し、光束制御部材Ｃ−１またはＣ−２を用いた照明装置１００は、発光素子１３１の光軸ＬＡからの距離ｄ２が４０ｍｍ付近の谷底部とそれと隣接する頂部との色度差が小さく、色ムラが特に低減されていることがわかる。
【０１１８】
これらのことから、本実施の形態に係る光束制御部材を用いた照明装置は、配光特性を高度に維持しつつ、照明装置１００の発光面における色ムラを十分に抑制できることがわかる。
【０１１９】
（効果）
以上のように、本実施の形態に係る光束制御部材１３２は、第１内天面１３３ａに複数の第１凸条１４２が配置され、２つの出射面１３５に複数の第２凸条１４３が配置され、かつ２つの反射面１３４に複数の第３凸条１４４が配置されている。それにより、（第１内天面１３３ａ、出射面１３５、および反射面１３４のいずれか一つのみに凸条を有する場合よりも）発光素子１３１から出射された光のうち、特に発光素子１３１の光軸ＬＡに対して小さい角度で出射された光（色ムラの寄与が大きい光）の出射方向をさらに変えやすくしつつ、それ以外の光（色ムラへの寄与が少ない光）の出射方向は必要以上に変えないため、所望の配光特性を維持しつつ、色ムラを抑制することができる。
【０１２０】
［変形例］
なお、実施の形態１および３では、光束制御部材１３２において、複数の第１凸条１４２が、第１内天面１３３ａのみに設けられる例を示したが、これに限定されず、第１内天面１３３ａ以外の第２内天面１３３ｃ、第３内天面１３３ｄ、第４内天面１３３ｅの少なくとも１つにさらに設けられてもよい。同様に、実施の形態２および３では、複数の第２凸条１４３が、出射面１３５の全面にそれぞれ設けられる例を示したが、これに限定されず、出射面１３５の一部のみに設けられてもよい。
【０１２１】
また、実施の形態１〜３では、光束制御部材１３２において、複数の第１凸条１４２（または第２凸条１４３）が、平面である第１内天面１３３ａ（または出射面１３５）に設けられる例を示したが、これに限定されず、曲面（例えば凹面）である第１内天面１３３ａ（または出射面１３５）に設けられてもよい。
【０１２２】
また、実施の形態１〜３では、光束制御部材１３２において、凹部１３９の内面形状が、エッジを含む面である例を示したが、これに限定されず、半球状や半楕円体状などのように、エッジを含まない曲面であってもよい。その場合、第１内天面１３３ａ、第２内天面１３３ｃ、第３内天面１３３ｄ、第４内天面１３３ｅおよび内側面１３３ｂは、連続的に形成されうる。
【０１２３】
また、実施の形態１〜３では、光束制御部材１３２において、凹部１３９の内面形状が、第１内天面１３３ａ（内天面）および２つの内側面１３３ｂ以外に、２つの第２内天面１３３ｃ、２つの第３内天面１３３ｄ、および２つの第４内天面１３３ｅをさらに有する例を示したが、これに限定されず、２つの第２内天面１３３ｃ、２つの第３内天面１３３ｄ、および２つの第４内天面１３３ｅの１以上は、省略されてもよい。
【０１２４】
また、実施の形態１〜３では、光束制御部材１３２の、発光素子１３１の光軸ＬＡを含み、かつＹ軸方向に平行な断面において、２つの出射面１３５が、発光素子１３１の光軸ＬＡに略平行である（傾斜していない）例を示したが、これに限定されず、発光素子１３１の光軸ＬＡに対して僅かに傾斜していてもよい。例えば、発光素子１３１の光軸ＬＡを含み、かつＹ軸方向に平行な断面において、出射面１３５は、Ｚ軸に沿って発光素子１３１から離れるにつれて、金型から成形品を取り出す際のハンドリング性が損なわれないような金型構造とすることが可能な場合は、発光素子１３１の光軸ＬＡから遠ざかるように傾斜していてもよい。それにより、出射面１３５から上方向（光拡散板１５０へ向かう方向）へ屈折して出射する光が減少するため、照度分布や色分布の均一化を一層図りやすくなる。発光素子１３１の光軸ＬＡを含み、かつＹ軸方向に平行な断面における、出射面１３５の、発光素子１３１の光軸ＬＡに対する傾斜角は、例えば１０°以下としうる。
【０１２５】
また、実施の形態１〜３では、照明装置１００において、複数の発光装置１３０を一列に配置する例を示したが、これに限定されず、二列以上の複数列に配置してもよい。
【０１２６】
また、実施の形態１〜３では、照明装置１００において、基板１２０が、発光装置１３０ごとに複数配置され、各基板１２０同士をケーブル１４０で電気的に接続する例を示したが、これに限定されず、１つの基板１２０上に、複数の発光装置１３０を配置してもよい。その場合、ケーブル１４０およびコーキング材１４１は不要である。
【０１２７】
また、実施の形態１〜３では、照明装置１００において、筐体１１０が、底板と、４つの側板と、（少なくとも一部に開口部が設けられた）天板とを有する箱状体である例を示したが、これに限定されず、少なくとも底板を有していればよく、側板と天板は省略してもよい。
【０１２８】
図２０は、変形例に係る照明装置の構成を示す部分拡大斜視図である。図２０に示されるように、筐体１１０の天板と側板を省略し、筐体１１０の底板を光拡散板１５０だけで覆ってもよい。
【０１２９】
また、実施の形態１〜３では、照明装置１００が、チャンネル文字看板である例を示したが、これに限定されず、ライン照明などであってもよい。
【産業上の利用可能性】
【０１３０】
本発明に係る光束制御部材を有する照明装置は、例えば、看板（特にチャンネル文字看板）、ライン照明、一般照明などに適用することができる。
【符号の説明】
【０１３１】
１００  照明装置
１１０  筐体
１２０  基板
１３０  発光装置
１３１  発光素子
１３２  光束制御部材
１３３  入射面
１３３ａ  内天面（第１内天面）
１３３ｂ  内側面
１３３ｃ  第２内天面
１３３ｄ  第３内天面
１３３ｅ  第４内天面
１３４  反射面
１３５  出射面
１３６  鍔部
１３７  脚部
１３８  底面
１３９  凹部
１４０  ケーブル
１４１  コーキング材
１４２  第１凸条
１４３  第２凸条
１４４  第３凸条
１５０  光拡散板
ＣＡ  中心軸
ＬＡ  光軸
【図１】
2020061330.tif 000003
【図２】
2020061330.tif 000004
【図３】
2020061330.tif 000005
【図４】
2020061330.tif 000006
【図５】
2020061330.tif 000007
【図６】
2020061330.tif 000008
【図７】
2020061330.tif 000009
【図８】
2020061330.tif 000010
【図９】
2020061330.tif 000011
【図１０】
2020061330.tif 000012
【図１１】
2020061330.tif 000013
【図１２】
2020061330.tif 000014
【図１３】
2020061330.tif 000015
【図１４】
2020061330.tif 000016
【図１５】
2020061330.tif 000017
【図１６】
2020061330.tif 000018
【図１７】
2020061330.tif 000019
【図１８】
2020061330.tif 000020
【図１９】
2020061330.tif 000021
【図２０】
2020061330.tif 000022